(57)【要約】【課題】複数の音響信号を出力でき、しかも、複数の音響信号のチャネル分離度や秘話性に優れる携帯端末装置を提供する。【解決手段】携帯端末装置１は、音響スピーカとして、複数の超指向性スピーカ２ａ，２ｂを備える。超指向性スピーカ２ａ，２ｂは、信号処理部８により生成された音響信号を出力する。【選択図】図２
2006067386.tif 000002
【特許請求の範囲】
【請求項１】
音響信号を出力する複数の超指向性スピーカと、
該超指向性スピーカに入力する前記音響信号を生成する信号処理部と
を備えることを特徴とする携帯端末装置。
【請求項２】
少なくとも１つの前記超指向性スピーカが出力する前記音響信号の放射角度を制御する制御部を備えることを特徴とする請求項１に記載の携帯端末装置。
【請求項３】
少なくとも１つの前記超指向性スピーカと使用者との位置関係を測定する測定部を備え、
前記制御部は、前記測定部による測定結果に基づいて前記放射角度を制御することを特徴とする請求項２に記載の携帯端末装置。
【請求項４】
無指向性スピーカを備え、
前記音響信号を出力する音響スピーカとして、前記超指向性スピーカ又は前記無指向性スピーカを選択する選択部を備えることを特徴とする請求項１乃至３のいずれか１項に記載の携帯端末装置。
【発明の詳細な説明】
【技術分野】
【０００１】
本発明は、携帯端末装置に関する。
【背景技術】
【０００２】
近年、映像と、音声や音楽等の音響を同時に視聴可能な携帯端末装置の使用機会が増大している。それに伴い、ハンズフリーの形態で、使用者に対して音響スピーカから音響を出力する携帯端末装置が提供されている。例えば、２つ以上の音響スピーカを搭載し、ステレオ音を出力する携帯型の電話装置が提案されている（例えば、特許文献１〜３参照）。又、１つの超指向性スピーカを搭載した情報機器が提案されている（例えば、特許文献４参照）。
【特許文献１】特開２００２−５７７６８号公報
【特許文献２】特開２００２−１０１１７１号公報
【特許文献３】特開２００２−１１１８１７号公報
【特許文献４】特開２００４−１１２２１３号公報
【発明の開示】
【発明が解決しようとする課題】
【０００３】
しかしながら、複数の音響スピーカを搭載した電話装置では、複数の音響信号をハンズフリーで聴く際に、音響スピーカから出力される音響信号が広い放射角で放射されてしまう。そのため、複数チャネルの音響信号のチャネル分離度が低下したり、音響信号の秘話性が低下したりする問題点があった。
【０００４】
具体的には、従来の電話装置では、放射された複数チャネルの音響信号が互いに干渉し合い、複数チャネルの分離度が低下してしまう。そのため、複数チャネルの再生精度が低かった。又、従来の電話装置は、音響スピーカからの音響信号の放射角を小さくする機能を備えないため、複数の音響スピーカから放射された各音響信号はそれぞれ広い放射角で伝播してしまう。そのため、電話装置の使用者以外も電話装置から放射される音を聴くことができ、秘話性を保つことができなかった。
【０００５】
又、超指向性スピーカを１つだけ搭載した情報機器は、複数チャネルを再生することができず、使用者に２チャネル以上の音響信号を聞かせることができなかった。
【０００６】
そこで、本発明は、複数の音響信号を出力でき、しかも、複数の音響信号のチャネル分離度や秘話性に優れた携帯端末装置を提供することを目的とする。
【課題を解決するための手段】
【０００７】
本発明に係る携帯端末装置は、音響信号を出力する複数の超指向性スピーカと、超指向性スピーカに入力する音響信号を生成する信号処理部とを備えることを特徴とする。「超指向性スピーカ」とは、一方向に強い指向性を呈するスピーカである。このような携帯端末装置は、複数の音響信号を出力でき、しかも、複数の音響信号のチャネル分離度や秘話性に優れる。
【０００８】
携帯端末装置は、少なくとも１つの超指向性スピーカが出力する音響信号の放射角度を制御する制御部を備えることが好ましい。これによれば、携帯端末装置は、超指向性スピーカが出力する音響信号の指向方向を変更することができ、音響信号を使用者の受聴点に指向させることができる。よって、音響信号のチャネル分離度や秘話性を更に高めることができる。
【０００９】
更に、携帯端末装置は、少なくとも１つの超指向性スピーカと使用者との位置関係を測定する測定部を備えることが好ましい。そして、制御部は、測定部による測定結果に基づいて放射角度を制御することが好ましい。超指向性スピーカと使用者との位置関係には、超指向性スピーカそのものと使用者との位置関係や、超指向性スピーカが出力する音響信号と使用者との位置関係が含まれる。例えば、超指向性スピーカと使用者との位置関係には、超指向性スピーカと使用者との間の距離、超指向性スピーカが出力する音響信号の使用者に対する放射角度等がある。
【００１０】
これによれば、携帯端末装置は、携帯端末装置の使用者の状態に応じて、超指向性スピーカが出力する音響信号を使用者の受聴点に指向させることができる。よって、音響信号のチャネル分離度や秘話性を更に向上できる。特に、使用者の状態が変化した場合であっても、携帯端末装置は、その変化に追随して常に適切に音響信号を出力できる。
【００１１】
又、携帯端末装置は、無指向性スピーカも備え、音響信号を出力する音響スピーカとして、超指向性スピーカ又は無指向性スピーカを選択する選択部を備えるようにしてもよい。
【００１２】
これによれば、携帯端末装置は、携帯端末装置の使用者や、携帯端末装置に音響データを提供する音響データ提供者が希望する状態で音響信号を出力することができる。例えば、携帯端末装置は、超指向性スピーカを選択することにより、秘話性の高い状態で音響情報を提供でき、チャネル分離度の高い音場を提供できる。一方、携帯端末装置は、無指向性スピーカを選択することにより、拡散性の高い音場を提供できる。
【発明の効果】
【００１３】
以上説明したように本発明によれば、複数の音響信号を出力でき、しかも、複数の音響信号のチャネル分離度や秘話性に優れた携帯端末装置を提供することができる。
【発明を実施するための最良の形態】
【００１４】
以下、本発明の実施の形態について図面を参照して説明する。図１に、携帯端末装置１の斜視図を示す。携帯端末装置１は、複数の筐体１ａ，１ｂと、ディスプレイ４と、操作キー５と、送話器６と、ヒンジ機構７とを備える。又、携帯端末装置１は、音響スピーカとして、複数の超指向性スピーカ２ａ，２ｂと、無指向性スピーカ３とを備える。このように、携帯端末装置１は、複数の音響スピーカを音響出力手段としている。
【００１５】
筐体１ａと筐体１ｂは、ヒンジ機構７により連結されている。ヒンジ機構７は、複数の筐体１ａ，１ｂを回動可能に連結する連結部材である。尚、連結部材は、回動可能に連結できればよく、ヒンジ機構７に限定されない。携帯端末装置１の筐体１ａ，１ｂは、回動によりディスプレイ４を内側にして折り畳むことができる。そのため、携帯端末装置１が、複数の音響スピーカを備えることにより、体積が大きくなってしまった場合でもその収納を容易にすることができる。
【００１６】
超指向性スピーカ２ａ，２ｂは、超指向性を持つ音響信号を出力する。複数の超指向性スピーカ２ａ，２ｂは、同時に駆動する。超指向性スピーカ２ａ，２ｂとしては、例えば、パラメトリックスピーカ等を用いることができる。パラメトリックスピーカは、空気の非線形特性によるパラメトリックアレイ効果により空気中に可聴音場を形成する音響スピーカである。パラメトリックスピーカは、周波数が高いほど指向角度が小さくなり、高い指向性が得られるという音波の性質を利用し、高周波数の音波を搬送波に用いて音響信号を出力することによって指向性を得る。パラメトリックスピーカは、高周波の搬送波で振幅変調された音響信号を空気中に放射する。使用者は、空気の非線形現象により、空気中に放射された音波から受聴したい音響信号を復調し、聴くことができる。
【００１７】
複数の超指向性スピーカ２ａ，２ｂは、携帯端末装置１の両端に設けられる。即ち、複数の超指向性スピーカ２ａ，２ｂは、連結された筐体１ａ，１ｂを一つの筐体と見た場合に、筐体の両端に設けられる。具体的には、筐体１ａ，１ｂそれぞれのヒンジ機構７と反対側の端に、超指向性スピーカ２ａ，２ｂはそれぞれ設けられる。このように、複数の超指向性スピーカ２ａ，２ｂは、筐体１ａ，１ｂに互いに離れて設けることが好ましい。これにより、超指向性スピーカ２ａ，２ｂ間の距離が広がり、複数の超指向性スピーカ２ａ，２ｂから出力する音響信号のチャネル分離度を向上できる。
【００１８】
このように携帯端末装置１は、筐体１ａ，１ｂが回動可能であり、かつ、超指向性スピーカ２ａ，２ｂがそれぞれの筐体１ａ，１ｂに設けられていることから、回動の角度（携帯端末装置１を折り畳む角度）を調整することにより、超指向性スピーカ２ａ，２ｂの向きを調整でき、超指向性スピーカ２ａ，２ｂが出力する音響信号の放射角度を調整することができる。例えば、音響信号の放射角度を使用者の受聴点に指向させることにより、携帯端末装置１は、音響信号の受聴精度や秘話性を高めることができる。
【００１９】
無指向性スピーカ３は、音響信号を拡散させて出力する。無指向性スピーカ３は、音響信号に指向性が必要ない場合や、音響信号を使用者の耳元で出力する場合に用いることができる。無指向性スピーカ３によれば、放射面が広く、拡散性が高いことにより、携帯端末装置１の使用者の耳元に音響信号を出力する際に、無指向性スピーカ３の位置が耳元から多少ずれた場合であっても、使用者に対して大きな音量で音響信号を出力できる。無指向性スピーカ３は、筐体１ａに、超指向性スピーカ２ａと離れて設けられる。
【００２０】
超指向性スピーカ２ａ，２ｂや無指向性スピーカ３は、音響信号を、ステレオ音源やバイノーラル音源として出力することができる。超指向性スピーカ２ａ，２ｂや無指向性スピーカ３は、音響信号を再生して得られる音源を選択することができる。これによれば、チャネル分離度が高く、秘話性が高い再生音を、モノラルの音源だけでなく、ステレオ音源や、より立体性の高いバイノーラル音源により使用者に提供できる。
【００２１】
送話器６は、使用者の音声の入力を受ける。操作キー５は、使用者の指示の入力を受ける。例えば、操作キー５は、音響信号の再生方法や放射角度の制御に関する使用者からの指示を取得する。又、送話器６に言語認識手段を接続することにより、携帯端末装置１は、音声により使用者の指示を取得できる。ディスプレイ４は、画像データや文字データ等を表示する。
【００２２】
携帯端末装置１は内部に、図２に示すように、信号処理部８と、制御部９ａと、測定部９ｂと、選択部９ｃとを備える。信号処理部８は、超指向性スピーカ２ａ，２ｂ、無指向性スピーカ３に入力する音響信号を生成する。信号処理部８は、音響信号生成器８ａと、振幅変調器８ｂと、高周波生成器８ｃと、増幅器８ｄとを備える。
【００２３】
音響信号生成器８ａは、超指向性スピーカ２ａ，２ｂ、無指向性スピーカ３に入力する音響信号の基礎となる音響信号（以下「処理前音響信号」という）を生成する。音響信号生成器８ａは、音響データを含む音響信号を生成する。音響信号生成器８ａは、超指向性スピーカ２ａ，２ｂ用の処理前音響信号を振幅変調器８ｂに、無指向性スピーカ３用の処理前音響信号を増幅器８ｄに入力する。
【００２４】
高周波発生器８ｃは、超音波帯域の周波数の高周波信号を生成する。例えば、高周波発生器８ｃは、超音波帯域の周波数を４０ｋＨｚに設定し、高周波信号を生成する。高周波生成器８ｃは、生成した高周波信号を振幅変調器８ｂに入力する。振幅変調器８ｂは、音響信号生成器８ａから入力された処理前音響信号を、高周波発生器８ｃから入力される高周波信号で振幅変調する。振幅変調器８ｂは、変調された音響信号（以下「変調後音響信号」という）を増幅器８ｄに入力する。
【００２５】
増幅器８ｄは、入力された処理前音響信号を増幅し、無指向性スピーカ３に入力する音響信号とする。増幅器８ｄは、音響信号生成器８ａから入力された処理前音響信号を増幅した音響信号を無指向性スピーカ３に入力する。増幅器８ｄは、入力された変調後音響信号を増幅し、超指向性スピーカ２ａ，２ｂに入力する音響信号とする。増幅器８ｄは、振幅変調器８ｂから入力された変調後音響信号を増幅した音響信号を超指向性スピーカ２ａ，２ｂに入力する。超指向性スピーカ２ａ，２ｂ、無指向性スピーカ３は、入力された音響信号を電気音響変換し、出力する。
【００２６】
制御部９ａは、超指向性スピーカ２ａ，２ｂが出力する音響信号の放射角度を制御する。制御部９ａは、超指向性スピーカ２ａ，２ｂ自体の角度を変更することや、超指向性スピーカ２ａ，２ｂが出力する音響信号の指向角度を変更することにより、音響信号の放射角度を制御できる。制御部９ａは、使用者の受聴点に音響信号を指向させる。音響信号を指向させるべき放射角度は、携帯端末装置１の使用者や使用方法等によって異なってくる。又、制御部９ａは、操作キー５から入力された使用者からの指示に基づいて、放射角度を制御してもよい。
【００２７】
超指向性スピーカ２ａ，２ｂ自体の角度を変更する場合、制御部９ａは、超指向性スピーカ２ａ，２ｂを制御する。又、超指向性スピーカ２ａ，２ｂは、角度を変更できるように筐体１ａ，１ｂに設けられる。図３に、超指向性スピーカ２ａ，２ｂが角度を変更できるようにそれぞれ筐体１ａ，１ｂに取り付けられている様子を示す。図３は、携帯端末装置１を上方から見た様子を示す。図３では、超指向性スピーカ２ａ，２ｂは、筐体１ａ，１ｂの筐体壁に対する角度が変更可能に設けられている。超指向性スピーカ２ａ，２ｂが出力する音響信号の指向角度を変更する場合、制御部９ａは、信号処理部８から超指向性スピーカ２ａ，２ｂに入力される音響信号を制御する。
【００２８】
このような制御部９ａにより、超指向性スピーカ２ａ，２ｂが出力する音響信号の方向を所望の方向に向けることができる。よって、携帯端末装置１は、使用者が聴きやすい角度、即ち、使用者の受聴点に音響信号を指向させることができる。そのため、携帯端末装置１は、音響信号の受聴精度を向上でき、秘話性を向上できる。
【００２９】
制御部９ａは、特に、図３に示すように、２つの超指向性スピーカ２ａ，２ｂが出力する音響信号が、使用者の左耳と右耳にそれぞれ指向するように、音響信号の放射角度を制御することが好ましい。これによれば、超指向性スピーカ２ａからの音響信号が指向していない右耳への超指向性スピーカ２ａからの音響信号の音圧を小さくできる。同様に、超指向性スピーカ２ｂからの音響信号が指向していない左耳への超指向性スピーカ２ｂからの音響信号の音圧を小さくできる。
【００３０】
これによれば、携帯端末装置１の使用者に対する位置や向きに関わらず、指向性の高い音響信号が使用者の左耳と右耳それぞれに、高いチャネル分離度で届くことができる。具体的には、複数の超指向性スピーカ２ａ，２ｂから出力される複数チャネルの音響信号が、携帯端末装置１の使用者の各耳で受聴される。そのため、使用者の左耳、右耳それぞれでの音圧のチャネル分離度を高くできる。よって、例えば、ステレオ音源等のように２チャンネルの音響信号が再生される際に、携帯端末装置１は、超指向性スピーカ間のクロストークを回避でき、高音質のステレオ音源の提供が可能になる。
【００３１】
測定部９ｂは、超指向性スピーカ２ａ，２ｂと使用者との位置関係を測定する。測定部９ｂは、例えば、超指向性スピーカ２ａ，２ｂと使用者との間の距離、指向性スピーカ２ａ，２ｂが出力する音響信号の使用者に対する放射角度等を測定する。即ち、測定部９ｂは、使用者の超指向性スピーカ２ａ，２ｂに対する相対的な距離や角度を測定する。測定部９ｂは、測定結果を制御部９ａに入力する。測定部９ｂは、測定結果を全て制御部９ａに入力してもよく、携帯端末装置１の使用者と超指向性スピーカ２ａ，２ｂとの位置関係に変更があった際に、測定結果を制御部９ａに入力してもよい。
【００３２】
この場合、制御部９ａは、測定部９ｂによる測定結果に基づいて放射角度を制御できる。制御部９ａは、例えば、距離や放射角度に基づいて、使用者の耳の位置に音響信号を指向させる。具体的には、制御部９ａは、測定結果に基づいて音響信号の放射角度を算出する。制御部９ａは、算出した放射角度に基づいて放射角度を変更する。
【００３３】
選択部９ｃは、音響信号を出力する音響スピーカとして、超指向性スピーカ２ａ，２ｂ又は無指向性スピーカ３を選択する。選択部９ｃは、音響信号出力に用いる音響スピーカを１つ選択してもよく、複数選択してもよい。選択部９ｃは、操作キー５から入力された使用者の再生方法に関する指示や、音響データに付与された音響データ提供者からの再生方法に関する指示などに基づいて、音響スピーカを選択できる。
【００３４】
選択部９ｃは、選択結果を音響信号生成器８ａに入力する。音響信号生成器８ａは、超指向性スピーカ２ａ，２ｂのいずれかが選択された場合は、処理前音響信号を振幅変調器８ｂに入力し、無指向性スピーカ３が選択された場合は、処理前音響信号を増幅器８ｄに入力する。
【００３５】
これによれば、携帯端末装置１は、携帯端末装置１の使用者や、携帯端末装置１に音響データを提供する音響データ提供者が希望する状態で音響信号を出力することができる。例えば、携帯端末装置１は、超指向性スピーカ２ａ，２ｂを選択することにより、秘話性の高い状態で音響情報を提供でき、チャネル分離度の高い音場を提供できる。一方、携帯端末装置１は、無指向性スピーカ３を選択することにより、拡散性の高い音場を提供できる。
【００３６】
以上説明したような携帯端末装置１は、複数の音響信号を出力でき、しかも、複数の音響信号のチャネル分離度や秘話性に優れる。携帯端末装置１は、複数の超指向性スピーカ２ａ，２ｂを備えることで、複数チャネルの音響信号を、超指向性スピーカ２ａ，２ｂから指向性の高い音響信号として出力することができる。即ち、携帯端末装置１は、放射角度が小さく指向性が高い音響信号を出力できる。
【００３７】
例えば、超指向性スピーカ２ａ，２ｂが出力する音響信号を使用者の受聴点に向けることで、指向性の高い音響信号を受聴点に向けて受聴音圧を大きく維持したまま伝播させることができる。よって、携帯端末装置１は、受聴点の方向から離れた方向では受聴音圧を小さくでき、聴取空間を小さくできる。そのため、携帯端末装置１は、高い秘話性を確保できる。
【００３８】
特に、携帯端末装置１は、測定部９ｂ、制御部９ａを備える。そのため、携帯端末装置１は、使用者の状態に応じて、超指向性スピーカ２ａ，２ｂが出力する音響信号を使用者の受聴点に指向させることができる。よって、音響信号のチャネル分離度や秘話性を更に向上できる。
【００３９】
特に、使用者の状態が変化し、超指向性スピーカ２ａ，２ｂと使用者との位置関係が変更した場合であっても、携帯端末装置１は、その変化に追随して常に適切に音響信号を出力できる。よって、使用者が聴取する音響信号の再生精度を常に高めることができる。
【００４０】
（変更例）
本発明は上記実施形態に限定されるものではなく、種々の変更が可能である。例えば、図４に示すように、携帯端末装置２０１は、１つの筐体１ａから構成されてもよい。この場合、１つの筐体１ａに、操作キー５、送話口６、複数の超指向性スピーカ２ａ，２ｂ、無指向性スピーカ３を設ける。超指向性スピーカ２ａ，２ｂは、ディスプレイ４を挟んだ筐体１ａの両側に、距離をおいて設けられる。このような携帯端末装置２０１によれば、筐体１ａを１つにすることにより、筐体を折り畳む操作が不要になり、使用方法の簡易性を高めることができる。
【００４１】
又、図５に示す携帯端末装置３０１のように、複数の超指向性スピーカ２ａ，２ｂを筐体１ａに設けてもよい。この場合も、超指向性スピーカ２ａ，２ｂは、ディスプレイ４を挟んだ筐体１ａの両側に、距離をおいて設けられる。筐体１ａと筐体１ｂは、ヒンジ機構７により連結されている。携帯端末装置３０１の筐体１ａ，１ｂは、回動によりディスプレイ４及び超指向性スピーカ２ａ，２ｂを外側にして折り畳むことができる。
【００４２】
これによれば、ディスプレイ４を外側にして折り畳んだ状態で、使用者が複数の超指向性スピーカ２ａ，２ｂを使用者に正対させて保持したときに、使用者は、携帯端末装置３０１を折り畳んだ状態で複数の超指向性スピーカ２ａ，２ｂを利用した音響信号を受聴できる。このとき、制御部９ａが、超指向性スピーカ２ａ，２ｂと筐体１ａとの角度を調整することにより、超指向性スピーカ２ａ，２ｂが出力する音響信号のチャネル分離度を向上させることができる。
【００４３】
更に、図６に示す携帯端末装置４０１のように、筐体１ａと筐体１ｂを回転により重ね合わせることができるように連結してもよい。携帯端末装置４０１は、ヒンジ機構４０７により筐体１ａと筐体１ｂが回転可能に連結されている。ヒンジ機構４０７は、筐体１ａと筐体１ｂを回転可能に連結する連結部材である。尚、連結部材は、回転可能に連結できればよく、ヒンジ機構４０７に限定されない。
【００４４】
携帯端末装置４０１では、筐体１ａ，１ｂそれぞれに超指向性スピーカ２ａ，２ｂが設けられる。これにより、携帯端末装置４０１では、筐体１ａと筐体１ｂとの回転角度（筐体１ａと筐体１ｂを展開する角度）を調整することにより、各筐体１ａ，１ｂに設けられた超指向性スピーカ２ａ，２ｂの間隔を調整できる。そのため、携帯端末装置４０１は、受聴点での複数の超指向性スピーカからの音響信号の間隔を調整できる。例えば、使用者の２つの受聴点である右耳と左耳の幅に適合させて音響信号を指向させるように、間隔を調整することが好ましい。これにより、音響信号の受聴精度及び秘話性が向上する。使用者は、筐体１ａと筐体１ｂとの回転角度を調整するだけで、超指向性スピーカ２ａ，２ｂから出力される音響信号の放射角度を、使用者に合わせて調整できる。
【００４５】
又、図７に示す携帯端末装置５０１のように、筐体１ａと筐体１ｂをスライドにより重ね合わせることができるように連結してもよい。携帯端末装置５０１は、例えば、筐体１ａに筐体１ｂをスライドさせるための溝部を設けることにより、筐体１ａと筐体１ｂをスライド可能に連結できる。尚、携帯端末装置５０１では、筐体１ａ，１ｂがスライド可能に連結されればよく、そのための機構は限定されない。
【００４６】
携帯端末装置５０１では、筐体１ａ，１ｂそれぞれも超指向性スピーカ２ａ，２ｂが設けられる。これにより、携帯端末装置５０１では、筐体１ａと筐体１ｂとをスライドさせる幅を調整することにより、各筐体１ａ，１ｂに設けられた超指向性スピーカ２ａ，２ｂの間隔を調整できる。そのため、携帯端末装置５０１は、受聴点での複数の超指向性スピーカからの音響信号の間隔を調整できる。例えば、使用者の２つの受聴点である右耳と左耳の幅に適合させて間隔を調整することが好ましい。これにより、音響信号の受聴精度及び秘話性が向上する。使用者は、筐体１ａと筐体１ｂとをスライドさせる幅を調整するだけで、超指向性スピーカ２ａ，２ｂから出力される音響信号間の間隔を、使用者に合わせて調整できる。
【００４７】
更に、図６，７に示した携帯端末装置４０１，５０１のように、複数の筐体１ａ，１ｂから構成され、筐体１ａ，１ｂが、回転可能、又は、スライド可能に連結されていることにより、筐体１ａ，１ｂを回転又はスライドさせて重ね合わせることができる。よって、複数の音響スピーカが搭載されて体積が大きくなりやすい携帯端末装置４０１，５０１の収納を容易にすることができる。
【００４８】
又、無指向性スピーカ３は、ディスプレイ４と一体型であってもよい。ディスプレイ４と一体型にすることにより、無指向性スピーカ３は、広い放射面より音響信号を出力することができ、高い拡散性をもった音響信号を出力できる。
【図面の簡単な説明】
【００４９】
【図１】本発明の実施形態に係る携帯端末装置を示す斜視図である。
【図２】本発明の実施形態に係る携帯端末装置の構成を示すブロック図である。
【図３】本発明の実施形態に係る超指向性スピーカが角度を変更可能な様子を示す図である。
【図４】本発明の変更例に係る筐体が１つの携帯端末装置を示す斜視図である。
【図５】本発明の変更例に係る回動式の携帯端末装置を示す斜視図である。
【図６】本発明の変更例に係る回転式の携帯端末装置を示す斜視図である。
【図７】本発明の変更例に係るスライド式の携帯端末装置を示す斜視図である。
【符号の説明】
【００５０】
１，２０１，３０１，４０１，５０１  携帯端末装置
１ａ，１ｂ  筐体
２ａ，２ｂ  超指向性スピーカ
３  無指向性スピーカ
４  ディスプレイ
５  操作キー
６  送話器
７，４０７  ヒンジ機構
８  信号処理部
８ａ  音響信号生成器
８ｂ  振幅変調器
８ｃ  高周波発生器
８ｄ  増幅器
９ａ  制御部
９ｂ  測定部
９ｃ  選択部
【図１】
2006067386.tif 000003
【図２】
2006067386.tif 000004
【図３】
2006067386.tif 000005
【図４】
2006067386.tif 000006
【図５】
2006067386.tif 000007
【図６】
2006067386.tif 000008
【図７】
2006067386.tif 000009